(57)【要約】【課題】本発明は、空気流から塵埃を分離するための塵埃分離器を備えている清掃具に関する。【解決手段】清掃具は、塵埃分離器が、空気流から分離された塵埃を収集するための塵箱を備えており、塵箱が、塵埃を塵箱の内部に保持するための閉構成と塵箱から塵埃を取り除くための開構成とを有する塵箱蓋を備えており、清掃具が、入口を備えており、入口が、塵箱蓋の開口部を貫通して延在しており、入口が、取付インターフェースを備えており、清掃具が、取付具が取付インターフェースに接続されている場合に塵箱蓋が開くことを防止するためのインターロック機構を備えている。【選択図】図３Ａ
2019118813.tif 000002
【特許請求の範囲】
【請求項１】
空気流から塵埃を分離するための塵埃分離器を備えている清掃具であって、前記塵埃分離器が、空気流から分離された塵埃を収集するための塵箱を備えており、前記塵箱が、塵埃を前記塵箱の内部に保持するための閉構成と前記塵箱から塵埃を取り除くための開構成とを有する塵箱蓋を備えている、前記清掃具において、
前記清掃具が、入口を備えており、前記入口が、前記塵箱蓋の開口部を貫通して延在しており、前記入口が、取付インターフェースを備えており、
前記清掃具が、取付具が前記取付インターフェースに接続されている場合に前記塵箱蓋が開くことを防止するためのインターロック機構を備えていることを特徴とする清掃具。
【請求項２】
前記取付インターフェースが、前記取付具に設けられたキャッチと係合するための構造体を備えていることを特徴とする請求項１に記載の清掃具。
【請求項３】
前記インターロック機構が、前記開口部から径方向内方に延在している前記塵箱の突起を備えており、
前記突起が、前記取付具の対応する当接面と当接するための当接面を形成していることを特徴とする請求項１又は２に記載の清掃具。
【請求項４】
前記突起が、前記取付インターフェースに向かって延在していることを特徴とする請求項３に記載の清掃具。
【請求項５】
前記取付具が、前記取付インターフェースに接続されている場合に、前記塵箱蓋の前記当接面が、前記取付具のキャッチと当接し、
前記キャッチが、前記取付具の前記対応する当接面として機能することを特徴とする請求項３又は４に記載の清掃具。
【請求項６】
前記取付具が、ワンド、延長ホース、又は清掃ツールであることを特徴とする請求項１〜５のいずれか一項に記載の清掃具。
【請求項７】
前記塵箱蓋が、前記塵箱の側壁に回転可能に取り付けられており、前記閉構成と前記開構成との間において回動可能とされることを特徴とする請求項１〜６のいずれか一項に記載の清掃具。
【請求項８】
前記塵箱が、前記入口に対して移動可能とされ、
前記インターロック機構が、前記取付具が前記取付インターフェースに接続されている場合に前記塵箱の移動を防止することを特徴とする請求項１〜７のいずれか一項に記載の清掃具。
【請求項９】
前記清掃具が、携行式真空掃除機であることを特徴とする請求項１〜８のいずれか一項に記載の清掃具。
【請求項１０】
ワンドと掃除機ヘッドとが、スティック型真空掃除機を形成するために、前記取付インターフェースに接続されることを特徴とする請求項９に記載の清掃具。
【発明の詳細な説明】
【技術分野】
【０００１】
本発明は、清掃具に関する。
【背景技術】
【０００２】
真空掃除機に対する改善が常に求められている。特に、利用者による真空掃除機の利用を一層容易にする改善、及び利用者が可能な限り最良な方法で真空掃除機を利用することを促すようにする改善が求められている。解決する必要がある欠陥や修理を要する欠陥に起因する操作については、利用者が実行することができない状態を確保することが望ましい。
【発明の概要】
【発明が解決しようとする課題】
【０００３】
本発明の第１の実施態様は、空気流から塵埃を分離するための塵埃分離器を備えている清掃具であって、塵埃分離器が、空気流から分離された塵埃を収集するための塵箱を備えており、塵箱が、塵埃を塵箱の内部に保持するための閉構成と塵箱から塵埃を取り除くための開構成とを有する塵箱蓋を備えている、清掃具を提供する。清掃具が、入口を備えており、入口が、塵箱蓋の開口部を貫通して延在しており、入口が、取付インターフェースを備えている。清掃具が、取付具が取付インターフェースに接続されている場合に塵箱蓋が開くことを防止するためのインターロック機構を備えている。
【０００４】
その結果として、取付具が清掃具に接続されている際には、塵箱を空にする作業、又は塵箱を取り外す作業を開始することができない。入口が塵箱蓋の開口部を貫通して延在しているので、清掃具に接続されている取付具は、塵箱蓋を完全に開くことを阻害する。その結果として、塵箱蓋と取付具とが、塵箱からの塵埃の排出を妨げるように機能する。従って、取付具が入口に接続されている際に開放プロセスの開始が防止されることは優位である。
【０００５】
取付インターフェースが、取付具に設けられたキャッチと係合するための構造体を備えている。これにより、利用の際に取付具を真空掃除機に取り外し可能に取り付けることができるが、取付具が必要とされない場合には、当該取付具を容易に取り外すことができる。
【０００６】
インターロック機構が、開口部から径方向内方に延在している塵箱の突起を備えており、突起が、取付具の対応する当接面と当接するための当接面を形成している。これにより、安価で単純であるが故障しにくい効果的なインターロック機構を実現することができる。
【０００７】
突起が、取付インターフェースに向かって延在している。取付具が、取付インターフェースに接続されている場合に、塵箱蓋の当接面が、取付具のキャッチと当接し、キャッチが、取付具の対応する当接面として機能する。その結果として、取付具を真空掃除機の孤影するためのキャッチを備えている当該取付具は、その形状に関わらず、インターロック機構と当接し、取付時に塵箱が開くことを防止することができる。
【０００８】
取付具は、ワンド、延長ホース、又は清掃ツールである。
【０００９】
塵箱蓋が、塵箱の側壁に回転可能に取り付けられており、閉構成と開構成との間において回動可能とされる。その結果として、塵箱蓋は、真空掃除機から完全に取り外す必要なく開放可能とされるので、真空掃除機を利用する人にとって、塵箱を空にする作業が一層容易になる。
【００１０】
塵箱が、入口に対して移動可能とされ、インターロック機構が、取付具が取付インターフェースに接続されている場合に塵箱の移動を防止する。塵箱は、塵箱が真空掃除機から完全に取り外されるように移動可能とされる。さもなければ、塵箱の移動が塵箱開放作業の一部される。従って、塵箱の移動防止及び塵箱蓋の開放防止は、上述の同一の理由により優位である。
【００１１】
清掃具が、携行式真空掃除機である。
【００１２】
ワンドと掃除機ヘッドとが、スティック型真空掃除機を形成するために、取付インターフェースに接続される。
【００１３】
本発明をより容易に理解するために、本発明の実施例について、添付図面を参照しつつ例示的に説明する。
【図面の簡単な説明】
【００１４】
【図１】携行式真空掃除機を表わす。
【図２Ａ】塵箱開放作業の途中段階における図１の真空掃除機を表わす。
【図２Ｂ】塵箱開放作業の他の途中段階における図１の真空掃除機を表わす。
【図３Ａ】図１の真空掃除機に対する取付具の接続を表わす。
【図３Ｂ】図１の真空掃除機に対する取付具の接続を表わす。
【図３Ｃ】図１の真空掃除機に対する取付具の接続を表わす。
【図４】図１の真空掃除機の入口を上方から見た図である。
【図５】スティック型真空掃除機を表わす。
【発明を実施するための形態】
【００１５】
図１は、塵埃分離器２と本体３とハンドル４とバッテリーパック５の形態をした電源と入口６とを備えている、携行式真空掃除機１の形態をした清掃具を表わす。携行式真空掃除機１の後部において、フィルター組立体７が本体３に取り付けられている。携行式真空掃除機１は、ハンドル４のトリガー８によって操作される。
【００１６】
塵埃分離器２は、第１の分離段と第２の分離段とを有している。第１の分離段は、塵箱２０を形成している円筒状の外壁２１を備えている。円筒状の内壁２５は、塵箱２０の内側に位置決めされている微細塵埃収集チャンバを形成している。塵箱蓋９の形態をした閉塞部材が、ヒンジ１０において、塵埃分離器２の外壁２１に回転可能に取り付けられている。塵箱蓋９は、塵埃を塵箱２０及び微細塵埃収集チャンバの開端部から出すことができる開位置と、塵箱蓋９が塵箱２０及び微細塵埃収集チャンバの開端部を密閉する閉位置との間において、ヒンジ１０を中心として回動可能とされる。塵箱蓋９は、内壁２５を密閉するためのシール３０を備えている。塵箱蓋９の中央部分には、穴又は開口部が形成されており、吸込入口６が、当該穴又は開口部を貫通して突出している。
【００１７】
円筒状のスクリーン２３とシュラウドスカート２４とを備えているシュラウド２２が、塵箱２０の内側に設けられている。動作の際に、空気は、本体３の内部に収納されたファンモータによって、入口６を通じて真空掃除機１の内部に引き込まれる。塵埃を含む空気が、入口６に結合されたシュラウド２２の側壁に形成されている分離器入口（図示しない）を通じて、塵箱２０に入る。空気は、塵箱２０の内側の周りを旋回し、遠心力が、空気流から比較的大きい塵埃粒子を分離させ、分離された塵埃粒子は、塵箱２０に沈降する。シュラウドスクリーン２３は、複数の穿孔を備えており、空気は、当該穿孔を通じて第１の分離段から流出する。
【００１８】
第２の分離段は、複数のサイクロン筐体２６を備えている。空気は、空気流から残りの塵埃を分離するためのサイクロン筐体２６を通過する。第２の分離段において分離された塵埃は、内壁２５によって形成されている微細塵埃収集チャンバに収集される。清浄された空気はサイクロン筐体２６から流出し、本体ハウジング３のファンモータを通過した後に、フィルター組立体７を通じて真空掃除機１から排出される。
【００１９】
塵箱２０及び微細塵埃収集チャンバを空にするために、塵箱蓋９を開けることができる。図２Ａ及び図２Ｂは、塵箱を空にする手順の異なる段階における真空掃除機１を表わす。塵埃分離器２は、外壁２１に固定されている塵箱開口アクチュエータ２７を備えている。塵箱開口アクチュエータ２７が、図２Ａの矢印Ａによって示すように、ハンドル４から離隔する方向に押された場合には、これにより、塵箱２０（すなわち外壁２１及び塵箱蓋９の両方）が、同一方向において真空掃除機１のランニング部分２８に沿って滑動される。シュラウド２２と内壁２５と入口６とは、それらが本体３に固定されている場合には静止状態を維持している。シール３０は、内壁２５から分離され、第２の塵埃収集チャンバ３２の開端部を露呈させる。図２Ｂに表わすように、外壁２１がハンドル４から離隔する方向における所定地点に到達すると、外壁２１は停止し、塵箱蓋９を閉じた状態に保持しているキャッチ３３が解放される。塵箱蓋９が回転されるので、ヒンジ１０の付勢部材が、塵箱蓋９を開位置に向かうように付勢する。従って、キャッチ３３が解放されると即座に、塵箱蓋９がヒンジ１０を中心として回動し、矢印Ｂによって示すように揺動し開放される。塵箱２０及び微細塵埃収集チャンバ３２の内部に収集された塵埃は、塵埃分離器２から排出可能となる。
【００２０】
塵埃分離器２を閉じることは、外壁２１を元の位置に復帰させるように滑動させること、及び、キャッチ３３が塵箱蓋９を閉位置に保持するように再び係合するまで塵箱蓋９を閉位置に向かって回動させることを含んでいる。
【００２１】
利用者が清掃作業を実施するために最も適切な取付具を選択することができるように、真空掃除機１に接続可能とされる様々な取付具を選定することができる。図３Ａは、真空掃除機１の入口６に設けられている取付インターフェースを表わす。図３Ａにおいて破線矢印線Ｃによって示すように、隙間ノズル４０（crevice tool）の形態をした２つの取付具とワンド５０の一部分とが、入口６において取付インターフェースに取り付け可能とされる。隙間ノズル４０は、係合部分４４及び解除ボタン４６を有するキャッチ４２を備えている。ワンド５０は、同様に係合部分５４及び解除ボタン５６を有する類似するキャッチ５２を備えている。また、位置合わせリブ４７，５７が、隙間ノズル４０及びワンド５０それぞれに設けられている。位置合わせリブ４７，５７は、対応する取付具が取付インターフェースに挿入された際に位置合わせリブ４７，５７がチャネル６２に滑入するように、取付インターフェースのチャネル６２と係合する。
【００２２】
図４に表わすように、取付インターフェースは、取付具が取付インターフェースに取り付けられた場合に所定位置にロックされるように、キャッチ４２，５２それぞれの係合部分４４，５４と係合する構造体６０を備えている。キャッチ４２，５２は回動し、係合部分４４，５４が取付インターフェースの構造体６０と係合する位置に向かって付勢される。取付具を接続解除するために、解除ボタン４６，５６が押圧され、これによりキャッチが回動することによって、係合部分４４，５４が構造体６０から係合解除されるので、取付具を取付インターフェースから取り外すことができる。
【００２３】
取付具が入口６の取付インターフェースに接続されている際に塵箱２０が移動又は開放されることを防止するために、真空掃除機１はインターロック機構を備えている。インターロック機構は、塵箱蓋９の一部分として形成されている突起３５を備えている。突起３５は、入口６が貫通している塵箱蓋９の開口部に向かって、径方向内方に延在している。突起３５は、突起３５が入口６の取付インターフェースに向かって延在するように径方向内方に延在している。また、突起３５は、塵箱開口アクチュエータ２７を押すことによって塵箱２０が前方に向かって移動することができないように、又は塵箱蓋９を開放することができないように、任意の付属品と当接する当接面を形成している。
【００２４】
図３Ｂは、隙間ノズル４０が取り付けられた状態の真空掃除機１を表わし、図３Ｃは、ワンド５０が取り付けられた状態の真空掃除機１を表わす。図示の如く、突起３５は、キャッチ４２，５２の解除ボタン４６，５６の後方に延在しており、解除ボタン４６，５６の側面が、取付具それぞれの対応する当接面として機能している。それぞれの場合において、従って、突起３５は、キャッチ４２，５２が構造体６０と係合されている際に塵箱２０の移動又は塵箱蓋９の開放を防止するように機能する解除ボタン４６，５６の側面に当接する。
【００２５】
ワンド５０は、掃除機ヘッド７０と連携して利用可能とされる。ワンド５０及び掃除機ヘッド７０が携行式真空掃除機１に接続された場合に、図５に表わすように、スティック型真空掃除機（時にスティック型吸引機とも呼称される）が形成される。例えば図５に表わす掃除機ヘッド７０のような掃除機ヘッドは、電動ブラシバーを備えている場合があり、この場合には、電力がワンド５０から伝送される必要がある。従って、電力コネクタ３６が、図３Ａ及び図４に表わすように、入口６の取付インターフェースに設けられている。隙間ノズル４０は、電力を必要としない単純なツールであるので、図３Ｂに表わすように、電力コネクタ３６と係合しない。しかしながら、ワンド５０は、バッテリ５からの電力がブラシバーモータに給電するために掃除機ヘッドに供給されるように、入口６において電力コネクタ３６と係合可能とされる対応するワンド電力コネクタ（図示しない）を収容するカフス５８を備えている。
【００２６】
隙間ノズル４０とワンド５０とについて、取付具の例示として説明した。しかしながら、例えばマットレス掃除機ツールや複合ツールのような他の清浄ツールと同様に、例えば延長ホースや小型の電動清掃ヘッドのような多数の取付具が存在する。例えば隙間ノズル４０やワンド５０のように、様々な取付具が様々な大きさ及び要件を有している。しかしながら、任意の取付具のためのキャッチは、取付インターフェースの構造体６０と係合することを要求される。インターロック機構をキャッチの係合させることは優位である。これにより、取付具の大きさ、形状、及び構成とは無関係に当接する堅実な構成部品を提供することができる。
【００２７】
特定の実施例について説明したが、本発明の技術的範囲から逸脱することなく様々な変更が可能であることに留意すべきである。
【００２８】
例えば、本明細書で説明した真空掃除機１は携行式真空掃除機であるが、例えばシリンダ型真空掃除機のような、入口が塵箱蓋を貫通して延在している任意の他の構成の真空掃除機であっても良い。さらに、インターロック機構について、取付具のキャッチと係合するものとして説明したが、その構成の利点については上述の通りである。しかしながら、代替的な実施例では、インターロック機構は、取付具の異なる構成部品と係合する。
【符号の説明】
【００２９】
１  真空掃除機
２  塵埃分離器
３  本体
４  ハンドル
５  バッテリー（バッテリーパック）
６  入口（吸込入口）
７  フィルター組立体
８  トリガー
９  塵箱蓋
１０  ヒンジ
２０  塵箱
２１  外壁
２２  シュラウド
２３  スクリーン
２４  シュラウドスカート
２５  内壁
２６  サイクロン筐体
２７  塵箱開口アクチュエータ
２８  ランニング部分
３０  シール
３２  第２の塵埃収集チャンバ
３３  キャッチ
３５  突起
３６  電力コネクタ
４０  隙間ノズル
４４  係合部分
４６  解除ボタン
４７  位置合わせリブ
５０  ワンド
５４  係合部分
５６  解除ボタン
５７  位置合わせリブ
５８  カフス
６０  構造体
６２  チャネル
【図１】
2019118813.tif 000003
【図２Ａ】
2019118813.tif 000004
【図２Ｂ】
2019118813.tif 000005
【図３Ａ】
2019118813.tif 000006
【図３Ｂ】
2019118813.tif 000007
【図３Ｃ】
2019118813.tif 000008
【図４】
2019118813.tif 000009
【図５】
2019118813.tif 000010
【外国語明細書】
2019118813000001.pdf